(57)【要約】  交換可能な個人用のグラフィックスを表示するための仕切られた周壁を有する容器（１）を開示する。容器は内側円筒と透明な外側円筒（２０）を有し、これらは仕切り室内で円筒間の空間を分割する垂直スペーサによって一定の離間距離を有している。各々仕切り室ではグラフィック材料シートを取外し可能に収容する。好ましい実施の形態では、８．５”×１１”のような標準的な通常の大きさの用紙を保持できる大きさとされ、これによりグラフィック材料シートは迅速かつ容易に交換することができる。グラフィックシート取付手段も設けられており、これによりユーザは道具を使用したり容器をひっくり返したりすることなく、グラフィックシートを簡便に交換することができる。
2006524616.tif 000002
【特許請求の範囲】
【請求項１】
グラフィック材料の表示用周壁を有する容器であって、
ａ）内側周壁と、
ｂ）外側周壁と、
ｃ）前記内側周壁と前記外側周壁とを互いに離間させた空間を画成するための分離手段と、
ｄ）前記内側周壁又は前記外側周壁の垂直面上に配された少なくとも１つのグラフィック材料取付開口部と
を備え、
前記グラフィック材料が道具を使用したりひっくり返すことなく簡便に交換可能とされた容器。
【請求項２】
前記内側周壁は円筒形状を有し、前記外側周壁は円筒形を有し、かつ前記外側周壁の下部に底部板が設けられている請求項１記載の容器。
【請求項３】
前記グラフィック材料取付開口部は指形形状からなり、かつ前記内側周壁の上端縁から下方に延伸されている請求項１記載の容器。
【請求項４】
４つの離間された指形形状のグラフィック材料取付開口部が、前記内側周壁の上端縁から下方に延伸されている請求項３記載の容器。
【請求項５】
複数のグラフィック材料種を互いに離間させるための空間を画成する分離手段を備えている請求項１記載の容器。
【請求項６】
前記複数のグラフィック材料種を互いに離間させるための空間を画成する分離手段は、前記内側周壁と前記外側周壁との間に複数の垂直スペーサが配されてなる請求項５記載の容器。
【請求項７】
前記内側周壁と前記外側周壁との間に形成される前記空間を密封するための密封手段を備えている請求項１記載の容器。
【請求項８】
前記密封手段は、前記内側周壁の上端縁又は前記外側周壁の上端縁上に取外し可能に装着されたガスケットを有している請求項７記載の容器。
【請求項９】
前記ガスケットは、円形状の本体と前記本体から下方に突設された少なくとも１つの指状部とを有する環状部材である請求項８記載の容器。
【請求項１０】
前記ガスケットは、円形状の本体と前記本体から下方に突設された４つの指状部とを有する環状部材である請求項９記載の容器。
【請求項１１】
グラフィック材料の表示用周壁を有する容器であって、
ａ）内側周壁と、
ｂ）外側周壁と
を有し、
ｃ）前記外側周壁の高さは、前記内側周壁の上端縁の上方に配された水平溝からなるグラフィック材料の取付開口部の輪郭を明瞭に示すように、前記内側の周壁の高さよりも大きく形成され、
ｄ）かつ、前記内側周壁と前記外側周壁とを互いに離間させた空間を画成するための分離手段とを備え、
前記グラフィック材料が道具を使用したりひっくり返すことなく簡便に交換可能とされた容器。
【請求項１２】
前記内側周壁は円筒形状を有し、前記外側周壁は円筒形を有し、かつ前記外側周壁の下部に底部板が設けられている請求項１１記載の容器。
【請求項１３】
複数のグラフィック材料種を互いに離間するための空間を画成する分離手段も備えている請求項１１記載の容器。
【請求項１４】
前記複数のグラフィック材料種を互いに離間させるための空間を画成する分離手段は、前記内側周壁と前記外側周壁との間に複数の垂直スペーサが配されてなる請求項１３記載の容器。
【請求項１５】
前記内側周壁の上端縁又は前記外側周壁の上端縁上に取外し可能に装着されたガスケットを備えている請求項１１記載の容器。
【請求項１６】
グラフィック材料の表示用周壁を有する容器であって、
ａ）内側周壁と、
ｂ）外側周壁と
を有し、
ｃ）前記外側周壁の高さは、前記外側周壁の上端縁の上方に配された水平溝からなるグラフィック材料の取付開口部の輪郭を明瞭に示すように、前記内側の周壁の高さよりも小さく形成され、
ｄ）かつ、前記内側周壁と前記外側周壁とが互いに離間した空間を画成するための分離手段とを備え、
前記グラフィック材料が道具を使用したりひっくり返すことなく簡便に交換可能とされた容器。
【請求項１７】
前記内側周壁は円筒形状を有し、前記外側周壁は円筒形を有し、かつ前記外側周壁の下部に底部板が設けられている請求項１６記載の容器。
【請求項１８】
複数のグラフィック材料種を互いに離間するための空間を画成する分離手段も備えている請求項１６記載の容器。
【請求項１９】
前記複数のグラフィック材料種を互いに離間するための空間を画成する分離手段は、前記内側周壁と前記外側周壁との間に複数の垂直スペーサが配されてなる請求項１８記載の容器。
【請求項２０】
前記内側周壁の上部端縁又は前記外側周壁の上部端縁上に取外し可能に装着されたガスケットを備えている請求項１６記載の容器。
【発明の詳細な説明】
【技術分野】
【０００１】
本発明は、特に家庭やオフィス環境で屑かごとして典型的に使用される容器に関する。より詳しくは、本発明は、複数の標準用紙サイズのシートを収容するために仕切られた透明な周壁を有する容器からなり、この標準用紙サイズには個人的なグラフィックや文字列が載っている。グラフィックシート取付手段も提供され、これによりユーザは、道具を使用したり上記容器をひっくり返したりすることなく、グラフィックシートを簡便に取り替えることができる。
【背景技術】
【０００２】
人々は、いつも個人的な嗜好を表現するために自己の周囲の状況を個性化することに関心を持っている。長年にわたり、多くの様々な製品が開発されてきており、それらの多くは、個人的なグラフィックや文章を封入することによって個人的なものとされた様々なタイプの容器である。
【０００３】
１９９９年４月２０日にフランク・イエー（Frank Yeh）に対し特許許可された米国特許第５，８９４，９４８号（特許文献１）では、内側のマグと透明な外側のマグとを有する新規なマグ・アッセンブリを提案している。円筒部材又は未完成の円筒部材のいずれかに形作られた平滑なシートを内側のマグと外側のマグとの間に装着することが可能であり、グラフィックや文章的なデザインのいずれかを有する円筒部材が予め形成されているか、又はユーザによって作製される。一旦、円筒部材が外側のマグ内に配されると、内側のマグは、内外のマグ間に配された密封装置と共に除去可能に挿入される。円筒部材は、ユーザの判断で交換することが可能である。これに対して本発明の外周は、複数の装飾シートを収容するために仕切られている。
【０００４】
１９９６年１０月８日にエドワード・キャラハン（Edward Callahan）に特許許可された米国特許第５，５６２，２２９号（特許文献２）では、取外し可能な蓋体を有する装飾容器が開示されている。内側の容器本体には、外側の管状側壁部材を適切に取外せるように保持する鍔が上端及び下端に設けられている。基底部材は、管状側壁部材の底部で、対応する穴に係合する複数のピンによって適切に保持されている。これにより、上記管状側壁部材は、清掃、または同種の又は異種のグラフィックデザインを有する他の側壁部材と交換するために取り外すことが可能となる。特許文献２は、容器用の交換可能な装飾蓋を提案しているが、本発明で行っているような装飾材料による装飾シートを別途作製する点については何ら開示していない。
【０００５】
フミヨ・キムラ（Fumiyo Kimura）は、１９９６年９月１０日に特許許可された米国特許第５，５５３，７３５号（特許文献３）において、ディスプレイ機能を有する容器を開示している。特許文献３は、２つの別個の実施の形態を提案している。第１の実施の形態では、内側容器と外側容器とが間隙を有するように単一部材で形成され、上部が閉じられかつ底部板で密封されている。第２の実施の形態の幾つかの異なる変形例では、内側容器が外側容器内に挿入され、これらの２つの部材が上端の外周で取り外し可能に結合されている。内側容器と外側容器との間に形成される空洞は、交換可能なグラフィック又は文字列の表示を受け入れることができる。特許文献３は、容器内での表示物の交換を提案しているものの、本発明のような分離された仕切り室は提案していない。
【０００６】
１９９６年９月１０日にリンダ・Ｍ・ローゼンタール（Linda Ｍ．Rosenthal）に対し特許許可された米国特許第５，５５３，７３３号(特許文献４)は、物品収納用蓋体について述べている。堅固な基底部は、全周囲にわたって付設された柔軟な周壁を有し、内部に配される物品の外面を覆えるように前記周壁は伸長可能とされている。周壁の自由端は、様々な大きさの物品に対して適合するように弾力性のある帯状部材によって調整可能とされている。
【０００７】
エドガー・Ｆ・トロンブリー（Edgar Ｆ. Trombly）は、１９７７年９月１３日に特許許可された米国特許第４，０４７，６３３号(特許文献５)において、氷用容器を開示している。内部容器と外部容器とは互いに離間して配され、両者間に通気のない空間を形成するように結合されている。内側容器と透明な外側容器との間には装飾的な物質を配することができるが、一旦、装置が密封されると、本発明のようなグラフィック材料の交換を行うことはできない。
【０００８】
上述の発明及び特許のいずれも、単独であれ組合わせであれ、本発明の特許請求の範囲に記載されているような記述をしているようには思えない。
【０００９】
【特許文献１】米国特許第５，８９４，９４８号明細書
【特許文献２】米国特許第５，５６２，２２９号明細書
【特許文献３】米国特許第５，５５３，７３５号明細書
【特許文献４】米国特許第５，５５３，７３３号明細書
【特許文献５】米国特許第４，０４７，６３３号明細書
【発明の摘要】
【００１０】
本発明は、自己又は他人に対し関心事であるグラフィック又は文章を交換可能に表示する能力を備えることによって、多くの人にとって個人的な容器にしたいという願望を満足させるものである。底部が閉じられ上部が開口している内側円筒は、同様に底部が閉じられ上部が開口している実質的に透明な外側円筒の内部に嵌め込まれる。垂直に設けられた複数のスペーサは、グラフィックや文章が描かれている用紙その他の薄い材料を収容するための一定寸法の空間に分割すると共に、内側円筒と外側円筒との間の一定の隙間を保証する。内側円筒と外側円筒との間の隙間は、これらの開放端間に配された取外し可能なガスケットによって密封されている。
【００１１】
また、数種の異なる実施の形態は、グラフィックシート取付手段を開示しており、これによりユーザは道具を使用したり容器をひっくり返したりすることなく、グラフィックシートを簡便に交換することができる。この付加的な特徴は、手先の器用さがまだ十分に発達していない、或いは損なわれている可能性のある若者や老人、及び物理的な強靭さに限界のある若者や老人に対して特に重要である。
【００１２】
従って、グラフィックや文章を容易に装飾することができる容器を提供することが本発明の主たる目的である。
【００１３】
グラフィックや文章をユーザの判断で容易に交換可能な屑かごを提供することが本発明の他の目的である。
【００１４】
可視的に表示されたグラフィックや文章に対し、液体や塵から保護することができる屑かごを提供することが、本発明の更なる目的である。
【００１５】
軽量の屑かごを提供することが、本発明の更なる他の目的である。
【００１６】
本発明の付加的な目的は、ある程度の乱用に耐え得る屑かごを提供することである。
【００１７】
また、製造費用が比較的安く、したがって購入費用が比較的安価な屑かごを提供することも本発明の目的である。
【００１８】
ユーザが道具を使用したり容器をひっくり返すことなくグラフィックシートを簡便に交換することができるグラフィックシート取付手段を提供することが、本発明の更なる目的である。
【００１９】
安価で信頼でき、意図された目的を達成するのに十分に効果的な装置の改良された構成要素とその配置を提供することが、本発明の目的である。
【００２０】
本発明のこれらの、及び他の目的は、以下の明細書及び図面による更なる叙述によって容易に明白となるであろう。
【発明を実施するための最良の形態】
【００２１】
本発明の様々な他の目的、特徴及び付随する優位点は、添付の図面と併せて考察することによってより良く理解され、完全に認識されるであろう。ここで、幾つかの図面を通じて、同一部分や類似の部分は同様の参照記号で示されている。
【００２２】
本発明の容器１の概略は、図１及び図２に示されている。容器１の主要構成要素は、内側円筒１０、外側円筒２０、グラフィックシート３０及びガスケット４０である。
【００２３】
内側円筒１０は、底部板１２と、周壁１４とからなる。底部板１２及び周壁１４は、好ましくは高分子材料からなり、製法は限定されないが、押出成形、射出成形又は真空成形のような通常知られた方法で形成される。底部板１２及び周壁１４は単一物として製造してもよく、或いは別々の構成要素を作製し、化学溶接のような方法で接合してもよく、限定されるものではない。底部板１２及び周壁１４は、不透明、半透明又は透明材料を選択的に使用して形成してもよく、それゆえに内側円筒１０は、金属のような他の材料で形成することができるが、本発明の精神を逸脱しない範囲で限定されるものでないことは当業者にとって自明であろう。
【００２４】
外側円筒２０は、底部板２２、周壁２４、及び周壁２４の内周面に形成されかつ等間隔に離間して設けられた複数の垂直スペーサ２６とからなる。底部板２２及び周壁２４は、底部板１２及び周壁１４と同様、好ましくは高分子材料からなり、製法は限定されないが、押出成形、射出成形又は真空成形のような通常知られた方法で形成される。また、底部板２２及び周壁２４は、単一物として製造してもよく、或いは構成要素毎に別々に作製し、化学溶接のような方法で接合してもよく、限定されるものではない。本発明の意図は、外側円筒２０を透過してグラフィックや文章を可視的に表示することにあるので、周壁２４は、（くすんだ）不透明材料や半透明材料も利用可能ではあるが、透明材料で形成するのが好ましい。
【００２５】
垂直スペーサ２６は、周壁２４の内周面に一定の離間距離を有して形成されている。各垂直スペーサ２６は底部板２２から周壁２４の上端近傍まで延伸した長さと、グラフィックシート３０（グラフィックシート３０については後に詳述する）の厚さを受け入れるのに十分な寸法によって周壁１４と周壁２４との間を離間させる空間を画成するための僅かな一定の厚さと、周壁１４と周壁２４との間に仕切り室を形成する空間を区分するための僅かな一定の幅とを有し、これにより各仕切り室２８内にグラフィックシート３０を収容するように適合される。
【００２６】
容器１は様々な大きさに作製することが可能であり、仕切り室２８は８．５”×１１”、８．５”×１４”又は２１０ｍｍ×２９７ｍｍの用紙や他の標準用紙を保持するように調整される。本発明の意図はグラフィックシート３０に対し標準用紙の大きさを使用することにあるが、当業者であれば、本発明の精神を逸脱することなく、他のサイズも使用可能であり、或いは複数のサイズを使用できるということは自明であろう。垂直スペーサ２６は周壁１４に対しぴったりと合うような寸法とされ、これにより、グラフィックシート３０が垂直スペーサ２６と周壁１４との間を滑るのを防止している。
【００２７】
好ましくは透明材料で形成された取外し可能なガスケット４０は、内側円筒１０の上端と外側円筒２０の上端との間の隙間を埋めており、塵及び/又は湿気の侵入を防ぎ、かつ周壁１４、周壁２４及び垂直スペーサ２６との間に画成される空間内にグラフィックシート３０を保管する。当業者にとっては、ガスケット４０は透明、半透明、不透明のいずれでも可能であることが自明であろう。
【００２８】
垂直スペーサ２６は周壁２４の必須の構成要素として形成することができ、または化学的な溶接等の限定されない方法によって周壁２４に接合することができることは、当業者にとっては自明であろう。さらに、垂直スペーサ２６は、本発明の精神を逸脱することなしに、周壁２４の内面に離間して配する代わりに、周壁１４の外表面に離間して配してもよいことは、当業者にとって自明であろう。同様に、内側円筒１０を底部板１２なしで形成し、容器１の内側の底部として仕える底部板２２を有するように形成可能であることも当業者には自明であろう。
【００２９】
「円筒」という用語は、内側円筒１０及び外側円筒２０の形状を説明するのに使用しているが、内側円筒１０及び外側円筒２０は、楕円形や多角形を含む様々な形状に形成することができ、本発明の精神を逸脱することない範囲で限定されるものでないのは、当業者にとって自明であろう。内側円筒１０及び外側円筒２０は、使用される形状に関わらず、錐台（テーパ側面を有する）であってもよい。但し、錐台形状が使用されるときは、垂直スペーサ２６は、容器１の底部から上部まで一定の寸法を維持するために僅かな楔形状を有するだろう。
【００３０】
グラフィックシート３０は、限定はされないが、絵画、文字列のグラフィックのいずれか又は双方が描かれる紙、布又は薄い高分子シートのような材料で形成される。上述したように、本発明の意図は、グラフィックシート３０のための既成の標準用紙サイズを使用できることにある。グラフィックは、限定されるものではなく、印刷、ステッチ等を含む当業者に知られたいずれかの手段によってグラフィックシート３０に貼着することが可能である。
【００３１】
第２の実施の形態では、内側円筒５０（図４の断面図に示すように）が、周壁５４の上端周囲を外方に延伸したリップ５６を有している。リップ５６は、周壁２４の上端を覆い、外方及び下方に伸びる逆「Ｕ字形」を形成する。周壁１４と垂直スペーサ２６との間のぴったりした関係が周壁２４の上端をリップ５６で閉じられ並設されている周壁２４の上端を押さえるシステムにより、封止状態を内側円筒５０と外側円筒２０との間に形成することができる。選択的に、ガスケット４０は、周壁１４と周壁２４との隙間、又は周壁２４とリップ５６との隙間を密封することができる。垂直スペーサ２６が内側円筒５０の外面に形成されることは当業者にとって自明であろうけれども、上述した好ましい実施の形態と同様、垂直スペーサ２６は、外側円筒２０の内面又は内側円筒１０の外面に形成される。
【００３２】
第３の実施の形態は図５に示しており、ここでは指形形状に形成された開口部７２ａ、ｂ、ｃ及びｄを備えたグラフィックシート取付手段が、内側周壁１４の上部垂直面に設けられている。この実施の形態では、密封するためのガスケット４０は、前記３つの実施の形態と同様、一般に、環形状である。ガスケット４０は、内側周壁１４の上部と外側周壁２４の上部との隙間を覆うリップ７４を有している。また、ガスケット４０はリップ７４の下方に、内側周壁１４と外側周壁２４との隙間に嵌合する円形状のリッジ７５を有している。リップ７４から下方に突設した指状部７１ａ、ｂ、ｃ及びｄが開口部７２ａ、ｂ、ｃ及びｄに対応して設けられており、湿気や塵の侵入に対し前記開口部７２ａ、ｂ、ｃ及びｄを封止している。
【００３３】
ガスケット４０を容器１の上部から取り外し、ユーザが仕切り室内に配されているグラフィックシート上に自分の指を置いて該グラフィックシートを押えて引き出すことを予測することができ、これにより、道具を使用したり容器１をひっくり返したりすることなく、グラフィックシートを容器１から簡便に取り出すことができる。図６に示すように、ガスケット４０を、容器１の上部に配し、かつ内側の周壁１４と外側の周壁２４との間の空間に下向きに嵌め込むと、指状部７１ａ、ｂ、ｃ及びｄは湿気や塵の侵入に対し開口部７２ａ、ｂ、ｃ及びｄを密封するように作用する。
【００３４】
図７は第４の実施の形態を示しており、これは内側周壁１４が外側周壁２４より若干短く形成されており、これにより内側周壁１４の上部全周に露出した水平状のグラフィックシート取付溝７３が形成される。内側周壁１４が外側周壁２４より短くなければならない量は特定される必要はなく、壁の高さの相違のみが、グラフィックシートの必要な部分を露出させるのに必要であることが理解されるべきであり、これにより、グラフィックシートは道具を使用したり容器１をひっくり返したりすることなく容器１から簡便に取り出すことができる。
【００３５】
また、容器１の使用中に水平状のグラフィックシート取付溝７３を封止するためには、ガスケット４０は図５や図６に示すようなものとは異なる形状でなければならないことも予測することができる。指状部７１ａ、ｂ、ｃ及びｄを離間して設けるよりも、代わりに、ガスケット４０は、該ガスケット４０の底部全周に配された指状部のない下方に突設されたリッジを有することになるだろう。この下方に突設されたリッジは周壁１４及び周壁２４の異なる高さの隙間を塞ぐので、塵や湿気の侵入に対し水平状のグラフィックシート取付溝７３を封止する。
【００３６】
図８は、さらに他の実施の形態を示しており、水平状のグラフィックシート取付溝７３が、図７のような内側周壁１４とは異なり、外側周壁２４の上部全周に設けられている点を除いては、図７の実施の形態に類似している。この実施の形態で使用される密封するためのガスケット４０は、下方に突設した指状部のないリッジを有し、該リッジは、幾分低めの外側周壁２４と幾分高めの内側周壁１４との隙間を封止するように適切な大きさと位置に配されることは理解することができる。前記他の方法の場合、図８の実施の形態で使用されるガスケット上のリッジの直径は図７の実施形態で使用されるガスケット上のリッジの直径より大きくなるが、当然ながら内側及び外側の周壁の直径はこれらの２つの実施の形態の間では同一であることが想定される。
【００３７】
図５乃至図８に示された改良における支配的な概念は、内側周壁又は外側周壁、或いは双方の周壁に組み込まれる手段によって、ユーザが道具を使用したり容器をひっくり返したりすることなくグラフィックシートを簡便に交換することが可能な改善されたグラフィックシートの取付を提供することにある。
【００３８】
そうであるからこの支配的な概念には、様々な上記実施の形態に示されたものの他、多くの可能な変形例が存在する。例えば、グラフィックシート取付手段は、内側周壁又は外側周壁のいずれか、若しくは双方の周壁に設けることが可能である。グラフィックシート取付手段の長さや形状は上記各実施の形態に示したものとは異なるものであることが可能であり、溝は、より深く、より幅が広く、或いは異なる形状に形成することができる。ガスケット上の下方に突設した指状部は、当然ながら、容器の使用中に異なる形状の溝を覆うように対応した形状とされる。
【００３９】
グラフィックシートの取付箇所の個数は、図５及び図６の実施の形態で示される４つの指状部とは異なっていてもよく、グラフィックシート取付手段の設置も様々な実施の形態に示されるものと異なっていてもよい。図７及び図８に示すように、内側周壁の上部は、内側又は外側の周壁全周に配された水平状の溝からなるグラフィックシート取付手段を有するように、外側周壁の上部より幾分低めか、その逆であることが可能である。或いは図７及び図８に示される水平状の溝を、内側又は外側の周壁全周に配するのに代えて、様々な箇所で分割することもできる。
【００４０】
さらに、ガスケットは、グラフィックシート取付手段によって示されたいかなる開口部、溝又は隙間と同様、塵や湿気の侵入から内側周壁と外側周壁との間の空間を密封する機能を適切に実行する限り、様々な実施の形態で示され説明した以外の異なる構造を示すことが可能である。単なる一例として、ガスケットはリッジなしで構成されることが可能である。すなわち、ガスケットは、リッジを有さないがリップや指状部を有し、又はリップに取り付けられる他の下方に延伸した形状を有することが可能である。他の例として、指状部はリップではなくリッジから下方に延伸される場合もある。また、特に、容器が汚れた、或いは湿った環境で使用されるのでなければ、ガスケットは材料及び組立てコストを節約するために除去することもできる。
【００４１】
上述したように本発明は、底部が閉じられ上部が開いている外側円筒内に内側円筒が装着され、この内側円筒も底部が閉じられ上部が開いている。しかし、２つの円筒のうちの１つのみ（内側又は外側のいずれか）が底部を有する他の実施の形態も可能であることは理解されるべきである。例えば、底部及び上部が開口している内側円筒が、底部が密閉され上部が開口している外側円筒内に嵌め込まれるような実施の形態も可能である。また、底部が閉じ上部が開いている内側の円筒が、底部及び上部が開いている外側の円筒内に嵌め込まれるような実施の形態も可能である。この後者の実施形態では、いずれかの円筒の底部領域に出っ張り、リップ、棚等を付設することによって２つの円筒間の底部空間を塞ぐことができ、これによりグラフィックシートの材料の静止位置が設けられる。
【００４２】
最後に、ここでいう「グラフィック材料」とは、デザイン、画像又は文字列が記載された、あるいは、記載されていない材料をいう。すなわち、グラフィック材料のシートは、デザイン、画像又は文字列を有する場合も、デザイン、画像又は文字列のない単なる魅力的な色である場合も、単なる空白である場合もあることは理解されるべきである。換言すると、本発明の創作的概念はグラフィック材料の特定の性質に依存するものではない。
【００４３】
従って、本発明は上述の実施の形態に限定されるものではなく、添付の特許請求の範囲内でのいかなる全ての実施の形態を包含するものであることは理解されるべきである。
【図面の簡単な説明】
【００４４】
【図１】本発明の容器の概観斜視図である。
【図２】本発明の容器を分解した概観斜視図である。
【図３】本発明の垂直スペーサの１つの詳細な平面図である。
【図４】本発明の容器の第２の実施の形態の断面図である。
【図５】第３の実施形態の斜視図であって、グラフィックシート取付手段が内側周壁に設けられ、ガスケットが湿気又は塵の侵入に対しグラフィックシートを密封するように、対応して下方に突設されたた指状部が設けられている図である。
【図６】第３の実施の形態の付加的な斜視図であって、容器の上部位置に取り付けられたガスケットを示している。
【図７】第４の実施の形態の斜視図であって、水平のグラフィックシート取付溝が内側周壁の全周上部に亙って形成されている図である。ている。
【図８】第５の実施形態の斜視図であって、水平のグラフィックシート取付溝が、図７の場合のような内側周壁ではなく、外側周壁の上部全周に形成されている点を除いては、図７の実施の形態に類似している。
2006524616.tif 000003
2006524616.tif 000004
2006524616.tif 000005
2006524616.tif 000006
2006524616.tif 000007
2006524616.tif 000008
2006524616.tif 000009
2006524616.tif 000010
【国際調査報告】
2006524616.tif 000011
2006524616.tif 000012
2006524616.tif 000013